(57)【要約】【課題】ケースの開放の検知が不要であり、且つ、不正なＲＯＭの交換が行われた場合に遊技が行われることを防止できる遊技機を提供する。【解決手段】遊技機は、複数の電子部品9が実装されるとともに電子部品9間が配線されたメイン基板8と、メイン基板8が固定されるベース部10と、ベース部10に固定されたメイン基板8を覆うカバー部20と、メイン基板8を覆った状態のカバー部20が開かれた場合に、メイン基板8の所定部分を破壊する破壊部60と、を備える。カバー部20は、ベース部10の所定位置にスライド移動可能に設けられ、メイン基板8を覆う際に破壊部60も覆う。破壊部60は、カバー部20が開く方向へスライド移動するにつれて、メイン基板8の所定部分を破壊する。その際、破壊部60は、配線を破壊するが、電子部品9を破壊しない。【選択図】図７
2011015711.tif 000002
【特許請求の範囲】
【請求項１】
複数の電子部品が実装されるとともに電子部品間が配線され、遊技に関する抽選を行うメイン基板と、
メイン基板が固定されるベース部と、
ベース部に固定されたメイン基板を覆うカバー部と、
メイン基板を覆った状態のカバー部が開かれた場合に、基板の所定部分を破壊する破壊部とを備え、
カバー部は、メイン基板を覆う際に破壊部も覆うように形成されたことを特徴とする遊技機。
【請求項２】
カバー部は、ベース部の所定位置にスライド移動可能に設けられるとともに、スライド移動により開閉するように形成され、
破壊部は、カバー部が開く方向へスライド移動するにつれて、メイン基板の所定部分を破壊するように形成されたことを特徴とする請求項１に記載の遊技機。
【請求項３】
カバー部は、ベース部の所定位置に回動可能に軸支されるとともに、回動により開閉するように形成され、
破壊部は、カバー部がメイン基板を覆った状態から所定角度開く方向へ回動すると、メイン基板の所定部分を破壊するように形成されたことを特徴とする請求項１に記載の遊技機。
【請求項４】
破壊部は、メイン基板の所定部分を破壊する場合に配線を破壊するが電子部品を破壊しないように形成されたことを特徴とする請求項１ないし３のいずれかに記載の遊技機。
【発明の詳細な説明】
【技術分野】
【０００１】
本発明は、遊技機に関し、さらに詳しくは、ケースに収納されたメイン基板を備えた遊技機に関するものである。
【背景技術】
【０００２】
遊技場に設置されるスロットマシンやパチンコ機等の遊技機には、遊技に関する抽選を行う基板（メイン基板）が設けられており、このメイン基板には、遊技に関する抽選の制御プログラムを記憶するＲＯＭや、ＲＯＭに記憶された制御プログラムを実行するＣＰＵが設けられている。したがって、入賞確率は、この制御プログラムに左右されることから、ＲＯＭの不正な交換が行われることがあった。そのため、ケースにメイン基板を収納するとともに、ケースやＲＯＭに封印シールを貼付する等により、ＲＯＭの不正な交換が行われた場合に、その痕跡が残るようにしていた。しかし、上述のような対策を講じても、ＲＯＭの不正な交換は後を絶たず、また、その痕跡の発見が遅れて、遊技場が大きな被害を被ることがあった。
【０００３】
そこで、基板を収納するケースの開放を検知する手段を設け、ケースの開放を検知した場合に、エラー報知や遊技停止を行う遊技機が公開されている（特許文献１または２参照）。
【先行技術文献】
【特許文献】
【０００４】
【特許文献１】特開２００７−１６７１４８号公報
【特許文献２】特開２００７−１６７１４９号公報
【発明の概要】
【発明が解決しようとする課題】
【０００５】
ところで、特許文献１または２に記載の遊技機では、メイン基板を収納するケースにスイッチを設け、バックアップ電源からサブ基板のＲＡＭまたはリアルタイムクロックへの電力の供給には、このスイッチを経由させる必要があり、そのため、製造コストがかかるという問題があった。
また、スイッチやバックアップ電源の劣化により、サブ基板のＲＡＭまたはリアルタイムクロックへ電力が供給されなくなった場合も、エラー報知や遊技停止を行うようになっている。したがって、エラー報知や遊技停止が、不正なＲＯＭの交換に起因するものであるのか、スイッチやバックアップ電源の劣化に起因するものであるのか、判別できないという問題があった。
【０００６】
そこで、本発明は、上述のような問題に鑑みてなされたものであり、その目的とするところは、ケースの開放の検知が不要であり、且つ、不正なＲＯＭの交換が行われた場合に遊技が行われることを防止できる遊技機を提供することである。
【課題を解決するための手段】
【０００７】
（請求項１）
請求項１に記載の発明は、複数の電子部品(9)が実装されるとともに電子部品(9)間が配線され、遊技に関する抽選を行うメイン基板(8)と、メイン基板(8)が固定されるベース部(10)と、ベース部(10)に固定されたメイン基板(8)を覆うカバー部(20)と、メイン基板(8)を覆った状態のカバー部(20)が開かれた場合に、メイン基板(8)の所定部分を破壊する破壊部(60)とを備え、カバー部(20)は、メイン基板(8)を覆う際に破壊部(60)も覆うように形成されたことを特徴とする遊技機に関するものである。
電子部品(9)とは、具体的には、ＣＰＵ、ＲＯＭ、ＲＡＭなどのＩＣや、トランジスター、ダイオード、抵抗器、コンデンサなどの回路素子が挙げられる。
【０００８】
メイン基板(8)は、例えば、プリント配線が施されたプリント配線基板を用いることができる。
ベース部(10)及びカバー部(20)は、メイン基板(8)と破壊部(60)とを同時に覆うことができるものであれば、どのような形状であっても構わない。
破壊部(60)は、メイン基板(8)が正常に機能しなくなるような部分を破壊することが望ましい。
遊技機とは、具体的には、スロットマシン(S)やパチンコ機などが挙げられる。
（請求項２）
請求項２に記載の発明は、請求項１に記載の発明の特徴に加え、カバー部(20)は、ベース部(10)の所定位置にスライド移動可能に設けられるとともに、スライド移動により開閉するように形成され、破壊部(60)は、カバー部(20)が開く方向へスライド移動するにつれて、メイン基板(8)の所定部分を破壊するように形成されたことを特徴とする遊技機に関するものである。
【０００９】
破壊部(60)は、不正なＲＯＭの交換が可能な状態になるまでカバー部(20)がスライド移動する前に、メイン基板(8)を破壊することが望ましい。
（請求項３）
請求項３に記載の発明は、請求項１に記載の発明の特徴に加え、カバー部(20)は、ベース部(10)の所定位置に回動可能に軸支されるとともに、回動により開閉するように形成され、破壊部(60)は、カバー部(20)がメイン基板(8)を覆った状態から所定角度開く方向へ回動すると、メイン基板(8)の所定部分を破壊するように形成されたことを特徴とする遊技機に関するものである。
【００１０】
破壊部(60)は、不正なＲＯＭの交換が可能な状態になるまでカバー部(20)が回動される前に、メイン基板(8)を破壊することが望ましい。
（請求項４）
請求項４に記載の発明は、請求項１ないし３のいずれかに記載の発明の特徴に加え、破壊部(60)は、メイン基板(8)の所定部分を破壊する場合に配線を破壊するが電子部品(9)を破壊しないように形成されたことを特徴とする遊技機に関するものである。
つまり、破壊部(60)が配線を破壊して断線させることにより、メイン基板(8)が正常に機能しなくなる。
【発明の効果】
【００１１】
（請求項１）
請求項１に記載の発明によれば、以下の効果を奏する。すなわち、メイン基板を覆った状態のカバー部が開かれると、破壊部がメイン基板の所定部分を破壊するようになっている。したがって、カバー部が開かれて不正なＲＯＭの交換が行われても、メイン基板が破壊されて正常に機能しなくなることから、遊技が行われることを防止できる。
（請求項２）
請求項２に記載の発明によれば、請求項１に記載の発明の効果に加え、以下の効果を奏する。すなわち、カバー部が開く方向へスライド移動するにつれて、破壊部がメイン基板の所定部分を破壊するようになっている。したがって、不正なＲＯＭの交換が可能な状態になるまでカバー部が開かれる前に、破壊部にメイン基板を破壊させることができる。
【００１２】
（請求項３）
請求項３に記載の発明によれば、請求項１に記載の発明の効果に加え、以下の効果を奏する。すなわち、カバー部が所定角度開く方向へ回動すると、破壊部がメイン基板の所定部分を破壊するようになっている。したがって、不正なＲＯＭの交換が可能な状態になるまでカバー部が開かれる前に、破壊部にメイン基板を破壊させることができる。
（請求項４）
請求項４に記載の発明によれば、請求項１ないし３のいずれかに記載の発明の効果に加え、以下の効果を奏する。すなわち、破壊部がメイン基板の所定部分を破壊する場合に、配線を破壊するが電子部品を破壊しないようになっている。したがって、カバー部が開かれてメイン基板が破壊された場合に、電子部品を再使用することができる。
【図面の簡単な説明】
【００１３】
【図１】第１の実施の形態に係るスロットマシンを示す斜視図である。
【図２】第１の実施の形態に係るスロットマシンにおいて前扉を取り外した状態を示す斜視図である。
【図３】第１の実施の形態に係るメイン基板ユニットにおいてカバー部を取り外した状態を示す斜視図である。
【図４】第１の実施の形態に係るスロットマシンにおける制御装置の入力、制御及び出力の概略を示すブロック図である。
【図５】第１の実施の形態に係るカバー部に心棒を仮止めした状態を示す（Ａ）ベース部の正面図、（Ｂ）メイン基板ユニットの縦断面図である。
【図６】第１の実施の形態に係るカバー部に心棒を本止めした状態を示す（Ａ）ベース部の正面図、（Ｂ）メイン基板ユニットの縦断面図である。
【図７】第１の実施の形態に係るメイン基板ユニットにおいて（Ａ）カバー部を閉じた状態を示す横断面図、（Ｂ）カバー部を開いた状態を示す横断面図である。
【図８】第２の実施の形態に係るメイン基板ユニットにおいてカバー部を開いた状態を示す斜視図である。
【図９】第２の実施の形態に係るメイン基板ユニットにおいて（Ａ）仮止めピンで破壊部の回動を規制した状態を示す横断面図、（Ｂ）カバー部を閉じて仮止めピンを取り外した状態を示す横断面図である。
【図１０】第２の実施の形態に係るメイン基板ユニットにおいてカバー部を所定角度開く方向へ回動させた状態を示す横断面図である。
【発明を実施するための形態】
【００１４】
本発明を実施するための形態を２例挙げて、図面を参照しつつ順次説明する。
（第１の実施の形態）
（スロットマシンS）
本実施の形態に係るスロットマシンSは、遊技媒体としてメダルを用いて遊技が行われる。ここで、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
【００１５】
スロットマシンSは、図１及び図２に示すように、正面側に開口する正面開口部2を有する箱形の筐体1を備えている。筐体1の内部には、高さ方向略中央で水平となるように中板6が設けられている。また、筐体1の正面には、筐体1の正面開口部2を開閉可能に閉塞する前扉3が設けられている。前扉3は、正面開口部2の上部を開閉可能に閉塞する上扉30と、正面開口部2の下部を開閉可能に閉塞する下扉40とを備えている。
図２に示すように、筐体1の底板には、各部品に電力を供給するための電源装置を内蔵した電源ユニット4と、メダルを貯留するとともに、貯留したメダルを払い出すためのホッパー5とが設置されている。また、筐体１の内部には、３個の回転リール23を有するリールユニット22と、スロットマシンSの遊技を制御するメイン基板8Aを有するメイン基板ユニット7Aとが設けられている。
【００１６】
図１に示すように、上扉30の略中央部には、各回転リール23の図柄を正面側から視認可能にするための図柄表示窓31が設けられている。また、上扉30において、図柄表示窓31の上方には、画像表示装置34が設けられ、図柄表示窓31の下方には、クレジットされたメダルの枚数や遊技の設定値を表示する数値表示部32が設けられている。また、上扉30における画像表示装置34の周りには、ランプ33が設けられている。また、上扉30の裏面には、図２に示すように、スロットマシンSの演出を制御するサブ基板39を有するサブ基板ユニット38と、種々のサウンドを出力するためのスピーカ35とが設けられている。
図１に示すように、下扉40の上部には、スロットマシンSを操作するための操作部50が設けられている。操作部50には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるための３個のストップスイッチ54が設けられている。また、下扉40の下部には、メダルを１枚ずつ投入するためのメダル投入口42と、スロットマシンS内部よりメダルを排出するためのメダル払い出し口41と、メダル払い出し口41から排出されたメダルを溜めておくための受け皿43とが設けられている。また、下扉40の裏面には、図２に示すように、メダル投入口42から投入されたメダルを誘導しながら真贋で選別するためのメダルセレクター46と、メダルセレクター46の下方に開口し、メダル払い出し口41に連通するメダル排出部44と、種々のサウンドを出力するためのスピーカ45とが設けられている。なお、ホッパー5から払い出されたメダルは、メダル排出部44を通って受け皿43に排出されるようになっている。
【００１７】
（メイン基板ユニット7A）
メイン基板ユニット7Aは、複数の電子部品9Aが実装されるとともに電子部品9A間が配線され、遊技に関する抽選を行うメイン基板8Aと、メイン基板8Aが固定されるベース部10Aと、ベース部10Aに固定されたメイン基板8Aを覆うカバー部20Aと、メイン基板8Aを覆った状態のカバー部20Aが開かれた場合に、メイン基板8Aの所定部分を破壊する破壊部60Aとを備えている。また、メイン基板ユニット7Aは、カバー部20Aが正面側に、ベース部10Aが奥側に位置するように、換言すると、メイン基板8Aの表面（電子部品9Aの実装された面）が正面側を向くように、筐体1の内部に取り付けられる。
【００１８】
メイン基板8Aは、プリント配線が施されたプリント配線基板である。また、メイン基板8Aには、プログラムを読み込んで実行するＣＰＵ、プログラムを記憶するＲＯＭ、データを一時的に記憶するＲＡＭ等の電子部品9Aが実装されている。ＲＯＭには、遊技に関する抽選を行うプログラムや、回転リール23の動作を制御するプログラム等が記憶されている。
また、図４に示すように、メイン基板8Aには、ベットスイッチ51、精算スイッチ52、スタートスイッチ53、ストップスイッチ54、リールユニット36、ホッパー5、メダルセレクター46、及び数値表示部32などのパーツが接続されている。
【００１９】
なお、図４に示すように、サブ基板39には、ランプ33、画像表示装置34、及びスピーカ35,45などのパーツが接続されている。
ベース部10Aは、図３、図５及び図６に示すように、長方形に形成されたベース底板11Aを有しており、ベース底板11Aの縁には、３つのベース側板が設けられている。ここで、メイン基板ユニット7Aを筐体1の内部に固定した際に、３つのベース側板の内で、ベース底板11Aの上縁に立設するベース側板を「上ベース側板12A」とし、ベース底板11Aの右縁に立設するベース側板を「右ベース側板13A」とし、ベース底板11Aの下縁に立設するベース側板を「下ベース側板14A」とする。また、ベース底板11Aの正面には、メイン基板8Aの位置決め及び固定のための基板用ボス17Aが設けられている。そして、メイン基板8Aは、その裏面がベース底板11Aと向き合うように基板用ボス17Aに固着される。また、右ベース側板13Aには、正面側の縁から右方向に向けて突出するベース接合板15Aが設けられている。
【００２０】
なお、上ベース側板12A及び下ベース側板14Aの右側部分の突出幅は、右ベース側板13Aと同じ突出幅に形成されている。これに対し、上ベース側板12A及び下ベース側板14Aの左側部分の突出幅は、右ベース側板13Aよりも小さい突出幅に形成されている。これは、上ベース側板12Aの左側部分と後述のカバー部20Aの上カバー軸受部27Aとが接触しないように、下ベース側板14Aの左側部分と後述のカバー部20Aの下カバー軸受部28Aとが接触しないようにするためである。
カバー部20Aは、図３、図５及び図６に示すように、長方形に形成されたカバー天板21Aを有しており、カバー天板21Aの縁には、３つのカバー側板が設けられている。ここで、メイン基板ユニット7Aを筐体1の内部に固定した際に、３つのカバー側板の内で、カバー天板21Aの上縁に立設するカバー側板を「上カバー側板22A」とし、カバー天板21Aの左縁に立設するカバー側板を「左カバー側板23A」とし、カバー天板21Aの下縁に立設するカバー側板を「下カバー側板24A」とする。また、上カバー側板22Aには、奥側の縁から下方に向けて突出する上保持部25Aが設けられ、下カバー側板24Aには、奥側の縁から上方に向けて突出する下保持部26Aが設けられている。そして、カバー部20Aは、右方向に開口する右開口部と、奥方向に開口する奥開口部とが形成され、カバー天板21A、上カバー側板22A、左カバー側板23A、下カバー側板24A、上保持部25A及び下保持部26Aに囲まれた空間（以下「収納空間」という。）にベース部10Aを収納するようになっている。
【００２１】
また、上カバー側板22Aの下面には、上カバー軸受部27Aが設けられ、下カバー側板24Aの上面には、上カバー軸受部27Aに対向する下カバー軸受部28Aが設けられている。上カバー軸受部27A及び下カバー軸受部28Aの軸受孔は、上下方向に形成される。また、上カバー側板22Aにおける上カバー軸受部27Aの軸受孔に対応する位置には、上下方向に貫通する挿入孔が形成されている。また、上カバー軸受部27Aの軸受孔と上カバー側板22Aの挿入孔とにより、上カバー側板22Aが上下方向に貫通される。なお、上カバー軸受部27A及び下カバー軸受部28Aは、後述の破壊部60Aの心棒63Aがメイン基板8上の電子部品9Aに接触しないような位置に設けられている。
【００２２】
また、カバー部20Aは、ベース部10Aの所定位置にスライド移動可能に設けられるとともに、スライド移動により開閉するように形成されている。具体的には、カバー部20Aの右開口部にベース部10Aの左端部を差し入れる。そして、上保持部25A及び下保持部26Aの正面がベース底板11Aの裏面とが接した状態で、カバー部20Aを閉じる方向へスライド移動させる、つまり左カバー側板23Aの右側の面がベース底板11Aの左縁に接近するようにカバー部20Aをスライド移動させる。そして、左カバー側板23Aの右側の面とベース底板11Aの左縁とが接すると、ベース部10Aがカバー部20Aの収納空間に収まり、ベース部10Aに固定されたメイン基板8Aが覆われる。このとき、上ベース側板12Aの上面と上カバー側板22Aの下面とが接し、下ベース側板14Aの下面と下カバー側板24Aの上面とが接し、上ベース側板12A及び下ベース側板14Aの右側部分の手前側の縁とカバー天板21Aの裏面とが接し、ベース接合板15Aの正面とカバー天板21Aの裏面とが接するようになっている。そして、カバー部20Aを開く方向へスライド移動させる、つまり左カバー側板23Aの右側の面がベース底板11Aの左縁から離れるようにカバー部20Aをスライド移動させると、メイン基板8Bが徐々に露出する。
【００２３】
また、特に図示しないが、ベース接合板15Aにはベース側固定部が設けられ、カバー天板21Aにおけるベース側固定部に対応する位置にはカバー側固定部が設けられている。そして、ネジ等によりベース側固定部とカバー側固定部とを固定することにより、ベース部10Aとカバー部20Aが固定されるようになっている。なお、ベース部10Aとカバー部20Aとの固定は、これに限らず、公知の手段を適宜用いることができる。
（破壊部60A）
破壊部60Aは、図３、図５及び図６に示すように、平板に複数の歯が設けられたラック61Aと、円柱の周縁に複数の歯が設けられた偏心ギア62Aと、偏心ギア62Aの回転軸である心棒63Aと、を備えている。
【００２４】
ラック61Aは、複数の歯が左右方向に連続するように、メイン基板8Aの正面に設けられている。また、ラック61Aの設けられたメイン基板8Aの部分には、プリント配線が施されている。ラック61Aの材質は、不導体であることが望ましい。本実施の形態では、合成樹脂製のラック61Aを用いている。また、本実施の形態に係るラック61Aの平板は、割れ易いように薄く形成されている。
偏心ギア62Aは、その円心から外れた位置に、心棒63Aの貫通する取付孔が設けられている。偏心ギア62Aの材質は、不導体であることが望ましい。本実施の形態では、ガラス製の偏心ギア62Aを用いている。
【００２５】
ここで、心棒63A及び偏心ギア62Aの取り付けについて説明する。先ず、心棒63Aの上端部にクリップ等の係止具（図示せず）を取り付ける。そして、心棒63Aの下端部を上方より上カバー側板22Aの挿入孔に挿入し、さらに挿入口に連続する上カバー軸受部27Aの軸受孔に挿入すると、心棒63Aの下端部がカバー部20Aの収納空間に到る。次に、偏心ギア62Aの取付孔に心棒63Aを下端部から挿入し、偏心ギア62Aを心棒63Aの所定の位置に固定する。その後、心棒63Aの下端部を下カバー軸受部28Aの軸孔に挿入すると、心棒63Aが上カバー側板22Aと下カバー側板24Aとの間に掛け渡される。このとき、係止具が上カバー側板22Aに引っ掛かるので、心棒63Aの上端部は上カバー側板22Aの挿入孔から上方に露出し、心棒63Aの下端部は下カバー側板24Aの上面には達していない（図５参照）。また、偏心ギア62Aは、ラック61Aよりも上方に位置し、ラック61Aと接触しない。したがって、メイン基板8Aの電子部品9Aを検査するためにカバー部20Aを開く方向へスライド移動させたときに、メイン基板8Aが破壊部60Aにより破壊されないようになっている。
【００２６】
メイン基板8Aの電子部品9Aの検査後は、再びカバー部20Aを閉じて係止具を取り外し、心棒63Aの上端部を上カバー側板22Aの挿入孔に埋没させるとともに、心棒63Aの下端部を下カバー側板24Aの上面に到達させる。そして、上カバー側板22Aの挿入孔をピンや接着剤等で閉塞して、心棒63Aを本止めする。このとき、偏心ギア62Aがラック61Aと接触する（図６、図７（Ａ）参照）。これにより、カバー部20Aを開く方向へスライド移動させると、メイン基板8Aが破壊部60Aにより破壊されるようになる。
次に、破壊部60Aがメイン基板8Aを破壊する様子を説明する。心棒63Aを本止めした後にカバー部20Aが開く方向へスライド移動すると、偏心ギア62Aがラック61Aと噛み合って回転し、心棒63Aとの間隔が大きい偏心ギア62Aの歯がラック61Aと接触する。さらにカバー部20Aが開く方向へスライド移動すると、偏心ギア62Aがラック61Aを介してメイン基板8Aを奥方向へ圧迫する。これにより、ラック61Aの平板及びメイン基板8Aが変形して、最終的に割れることになる（図７（Ｂ）参照）。また、メイン基板8Aが割れたときに、メイン基板8Aに施されたプリント配線が破壊されるが、電子部品9Aは破壊されない。また、メイン基板8Aが割れたときに、カバー部20Aの開放によりメイン基板8Aの一部が露出するものの、不正なＲＯＭの交換はできないようになっている。
【００２７】
なお、本実施の形態では、ラック61Aの平板及びメイン基板8Aが割れるように形成したが、ラック61Aの平板は割れずにメイン基板8Aのみ割れるように形成してもよい。
以上のように、第１の実施の形態によれば、以下の効果を奏する。すなわち、メイン基板8Aを覆った状態のカバー部20Aが開かれると、破壊部60Aがメイン基板20Aの所定部分を破壊するようになっている。したがって、カバー部20Aが開かれて不正なＲＯＭの交換が行われても、メイン基板8Aが破壊されて正常に機能しなくなることから、遊技が行われることを防止できる。
また、カバー部20Aが開く方向へスライド移動するにつれて、偏心ギア62Aがラック61Aを介してメイン基板8Aを圧迫して破壊するようになっている。したがって、不正なＲＯＭの交換が可能な状態になるまでカバー部20Aが開かれる前に、破壊部60Aにメイン基板8Aを破壊させることができる。
【００２８】
また、破壊部60Aがメイン基板8Aの所定部分を破壊する場合に、配線を破壊するが電子部品9Aを破壊しないようになっている。したがって、カバー部20Aが開かれてメイン基板8Aが破壊された場合に、電子部品9Aを再使用することができる。
（第２の実施の形態）
第１の実施の形態と第２の実施の形態とは、メイン基板ユニットの構成が異なっているが、その他については共通である。そこで、第２の実施の形態では、メイン基板ユニットについて説明し、その他については説明を省略する。
（メイン基板ユニット7B）
図８に示すように、メイン基板ユニット7Bは、複数の電子部品9Bが実装されるとともに電子部品9B間が配線され、遊技に関する抽選を行うメイン基板8Bと、メイン基板8Bが固定されるベース部10Bと、ベース部10Bに固定されたメイン基板8Bを覆うカバー部20Bと、メイン基板8Bを覆った状態のカバー部20Bが開かれた場合に、メイン基板8Bの所定部分を破壊する破壊部60Bとを備えている。また、メイン基板ユニット7Bは、カバー部20Bが正面側に、ベース部10Bが奥側に位置するように、換言すると、メイン基板8Bの表面（電子部品9Bの実装された面）が正面側を向くように、筐体1の内部に取り付けられる。なお、メイン基板8Bについては、第１の実施の形態に係るメイン基板8Aの説明を参照することとし、説明を省略する。
【００２９】
ベース部10Bは、図８に示すように、長方形に形成されたベース底板11Bを有しており、ベース底板11Bの縁には、４つのベース側板が設けられている。つまり、ベース部10Bは、正面側に開口する箱形に形成されている。ここで、メイン基板ユニット7Bを筐体1の内部に固定した際に、４つのベース側板の内で、ベース底板11Bの上縁に立設するベース側板を「上ベース側板12B」とし、ベース底板11Bの右縁に立設するベース側板を「右ベース側板13B」とし、ベース底板11Bの下縁に立設するベース側板を「下ベース側板14B」とし、ベース底板11Bの左縁に立設するベース側板を「左ベース側板16B」とする。なお、これら４つのベース側板は、同じ突出幅に形成されている。また、ベース底板11Bの正面には、メイン基板8Bの位置決め及び固定のための基板用ボス17Bが設けられている。そして、メイン基板8Bは、その裏面がベース底板11Bと向き合うように基板用ボス17Bに固着される。また、左ベース側板16Bには、左側の面から左方向に向けて突出するベース接合板15Bが設けられている。また、上ベース側板12Bには、上ベース軸受部（図示せず）が設けられ、下ベース側板14Bには、上ベース軸受部に対向する下ベース軸受部（図示せず）が設けられている。また、上ベース側板12B及び下ベース側板14Bには、上下方向に貫通するピン孔18Bが対向するように設けられている。
【００３０】
カバー部20Bは、図８に示すように、長方形に形成されたカバー天板21Bを有しており、カバー天板21Bの縁には、３つのカバー側板が設けられている。ここで、メイン基板ユニット7Bを筐体1の内部に固定した際に、３つのカバー側板の内で、カバー天板21Bの上縁に立設するカバー側板を「上カバー側板22B」とし、カバー天板21Bの左縁に立設するカバー側板を「左カバー側板23B」とし、カバー天板21Bの下縁に立設するカバー側板を「下カバー側板24B」とする。なお、これら３つのカバー側板は、同じ突出幅に形成されている。また、左ベース側板16Bの縁には、左方向に向けて突出するカバー接合板29Bが設けられている。
【００３１】
カバー部20Bは、ベース部10Bの所定位置に回動可能に軸支されるとともに、回動により開閉するように形成されている。具体的には、図８に示すように、上ベース側板12B及び上カバー側板22Bの右端部を上回動軸（図示せず）で連結するとともに、下ベース側板14B及び下カバー側板24Bの右端部を下回動軸71Bで連結することにより、ベース部10Bにカバー部20Bを回動可能に軸着させた。また、カバー天板21Bは、ベース部10Bの開口よりも大きく形成されており、ベース部10Bにカバー部20Bを被せると、ベース部10Bの開口縁にカバー天板21Bの裏面が密着して、ベース部10Bの開口が塞がれる（図９参照）。これにより、ベース部10Bに固定されたメイン基板8Bが、カバー部20に覆われる。このとき、上ベース側板12Bの上面と上カバー側板22Bの下面とが接し、下ベース側板14Bの下面と下カバー側板24Bの上面とが接し、左ベース側板16Bの左面と左カバー側板23Bの右面とが接するようになっている。また、カバー部20Bを開く方向に回動させる、つまりカバー部20Bをベース部10Bの開口縁から離れるように回動させると、ベース部10Bの開口が開放され、メイン基板8Bが徐々に露出する（図１０参照）。
【００３２】
また、カバー部20Bがメイン基板8Bを覆った状態にあるとき、つまりカバー部20Bを閉じた状態にあるときに、ベース接合板15Bの正面とカバー接合板29Bの裏面とが接するようになっている。ここで、特に図示しないが、ベース接合板15Bにはベース側固定部が設けられ、カバー接合板29Bにおけるベース側固定部に対応する位置にはカバー側固定部が設けられている。そして、ネジ等によりベース側固定部とカバー側固定部とを固定することにより、ベース部10Bとカバー部20Bが固定されるようになっている。
（破壊部60B）
破壊部60Bは、長方形の平板である回動板64Bと、回動板64Bの一方の平面部から楔状に突出した楔部65Bと、回動板64Bの上縁部から略垂直に突出する上支持軸66Bと、回動板64Bの下縁部から略垂直に突出する下支持軸67Bとを備えている。なお、破壊部60Bの材質は、不導体であることが望ましい。また、破壊部60Bの材質は、メイン基板8Bを破壊できる程度の硬度を有することが望ましい。本実施の形態では、合成樹脂製の破壊部60Bを用いている。
【００３３】
ここで、破壊部60Bの取り付けについて説明する。先ず、楔部65Bの先端が反メイン基板8B側（ベース部10Bの開口側）に向き、且つ楔部65Bが上支持軸66B及び下支持軸67Bよりも左側に位置するように、上支持軸66Bを上ベース軸受部に挿入するとともに、下支持軸67Bを下ベース軸受部に挿入して、破壊部60Bをベース部10Bに回動可能に取り付ける。また、破壊部60Bは、上方から見て反時計回りに回動する、つまり楔部65Bの先端がメイン基板8Bに向かう方向に回動すると、楔部65Bがメイン基板8Bに接触して、これ以上回動できないようになっている。また、楔部65Bの接触するメイン基板8Bの部分には、プリント配線が施されているが、電子部品9Bは設けられていない。
【００３４】
また、破壊部60Bは、反時計回りに回動するように、バネ（図示せず）により付勢される。ここで、メイン基板8Bの電子部品9Bを検査するためにカバー部20Bを開く方向へ回動した場合に、破壊部60Bが反時計回りに回動してメイン基板8Bを破壊しないようにするために、上ベース側板12B及び下ベース側板14Bのピン孔18Bに仮止めピン72Bを挿入して、破壊部60Bの反時計回りの回動を規制する（図８、図９（Ａ）参照）。そして、メイン基板8Bの電子部品9Bの検査後は、再びカバー部20Bを閉じて２個の仮止めピン72Bを取り外し、ピン孔18Bをピンや接着剤で閉塞する。これにより、カバー部20Bを所定角度開く方向へ回動させると、メイン基板8Bが破壊部60Bにより破壊されるようになる。
【００３５】
次に、破壊部60Bがメイン基板8Bを破壊する様子を説明する。図９（Ｂ）に示すように、カバー部20Bが閉じられた状態で仮止めピン72Bが取り外されると、楔部65Bはカバー部20Bに接触していないが、回動板64Bがカバー天板21Bのストッパー19Bに接触して、これ以上反時計回りに回動できないようになっている。ここで、カバー部20Bが徐々に開く方向へ回動すると、これに伴い、破壊部60Bもバネの付勢により徐々に反時計回りに回動する。そして、破壊部60Bがストッパー19Bと接触しなくなる角度までカバー部20Bが開く方向へ回動すると、破壊部60Bが一気に反時計回りに回動して、楔部65Bがメイン基板8B（プリント配線の施された部分）に衝突する。これにより、電子部品9Bを破壊することなく、メイン基板8B及びプリント配線を破壊する。なお、破壊部60Bとストッパー19Bとの係止が解除される角度までカバー部20Bが回動すると、カバー天板21Bの裏面がベース部10Bの開口縁から離れるものの、不正なＲＯＭの交換ができない程度の間隔になっている。また、回動板64Bの回転半径は、カバー部20Bの当該角度まで回動した状態における回動板64Bの回転軸とストッパー19Bとの最短距離よりも小さい。
【００３６】
以上のように、第２の実施の形態によれば、メイン基板8Bを覆った状態のカバー部20Bが開かれると、破壊部60Bがメイン基板8Bの所定部分を破壊するようになっている。したがって、カバー部20Bが開かれて不正なＲＯＭの交換が行われても、メイン基板8Aが破壊されて正常に機能しなくなることから、遊技が行われることを防止できる。
また、破壊部60Bとストッパー19Bとの係止が解除される角度までカバー部20Bが開く方向へ回動すると、破壊部60Bが一気に回動してメイン基板8Bの所定部分を破壊するようになっている。したがって、不正なＲＯＭの交換が可能な状態になるまでカバー部20Bが開かれる前に、破壊部60Bにメイン基板8Bを破壊させることができる。
【００３７】
また、破壊部60Bがメイン基板8Bの所定部分を破壊する場合に、配線を破壊するが電子部品9Bを破壊しないようになっている。したがって、カバー部20Bが開かれてメイン基板8Bが破壊された場合に、電子部品9Bを再使用することができる。
なお、本発明は、上述した実施の形態に限定されるものではなく、本発明の目的を達成できる範囲における変形や改良も含むものである。また、本発明は、パチンコ機等の他の遊技機にも適用することができる。
また、本発明は、電子部品を再利用しない場合には、破壊部が電子部品を破壊するようにしてもよい。これにより、カバー部が開かれて不正なＲＯＭの交換が行われても、メイン基板が正常に機能しなくなることから、遊技が行われることを防止できる。
【符号の説明】
【００３８】
8  メイン基板                         9  電子部品
10  ベース部                          20  カバー部
60  破壊部
【図１】
2011015711.tif 000003
【図２】
2011015711.tif 000004
【図３】
2011015711.tif 000005
【図４】
2011015711.tif 000006
【図５】
2011015711.tif 000007
【図６】
2011015711.tif 000008
【図７】
2011015711.tif 000009
【図８】
2011015711.tif 000010
【図９】
2011015711.tif 000011
【図１０】
2011015711.tif 000012